(57)【要約】【課題】凹凸の激しい岩場や傾斜の大きい磯岩においてさえ、確実、容易、簡便に設定、持ち運び、撤去ができ、操作性に優れ、かつ、構造が簡単でコンパクトな釣り竿支持具を提供する。【解決手段】釣り竿保持脚の上端に釣り竿保持具を設け、釣り竿保持脚の上方両端には開閉自在かつ長さ調節可能な２本の支柱脚を備えた自立する三脚において、釣り竿保持脚の下端から開閉可動に連結されて上方に伸ばされた基柱脚と、基柱脚上端からは下方に折り曲げられた基柱爪とを有し、任意のボックス体の側面や下部、凹凸の激しい岩場などの壁の側面に、基柱爪、基柱脚を装着・添着セットする形状を有した構造から構成されることを特徴とする。【選択図】図２
2007151421.tif 000002
【特許請求の範囲】
【請求項１】
釣り竿保持脚の上端に釣り竿保持具を設け、釣り竿保持脚の上方両端には係止された２本の支柱脚を備えた自立する三脚において、釣り竿保持脚の下端から連結されて上方に伸ばされた基柱脚と、基柱脚上端からは下方に折り曲げられた基柱爪とを具備した構造から構成したことを特徴とする釣り竿支持具。
【請求項２】
前記釣り竿保持脚の上端に釣り竿保持具を設け、釣り竿保持脚と２本の支柱脚とで三脚構造となる、請求項１に記載の釣り竿支持具。
【請求項３】
前記２本の支柱脚は開閉可能である、請求項１又は２のいずれかに記載の釣り竿支持具。
【請求項４】
前記２本の支柱脚は長さ調節可能である、請求項１から３のいずれかに記載の釣り竿支持具。
【請求項５】
前記釣り竿保持脚の下端から連結されて上方に伸ばされた基柱脚と基柱爪は、任意のボックス体に嵌め込んで装着セットする形状を有した、請求項１から４のいずれかに記載の釣り竿支持具。
【請求項６】
前記釣り竿保持脚の下端から連結されて上方に伸ばされた基柱脚と基柱爪は、任意のボックス体などを利用した底板台盤部の代用として、また、任意のボックス体や凹凸の激しい岩場などの壁の側面を利用して添着セットする形状を有した、請求項１から５のいずれかに記載の釣り竿支持具。
【請求項７】
前記の釣り竿保持脚は、基柱脚と基柱爪を使用して任意のボックス体に嵌め込んで装着セットすると、一脚構造となる、請求項１から６のいずれかに記載の釣り竿支持具。
【請求項８】
前記釣り竿保持脚と基柱脚とは開閉可動に連結され、連結間の連結部材にはコイルバネなどの任意の圧接部材を設置し、前記脚間での閉状態と開状態との両状態における圧接保持手段を設けたことを特徴とする、請求項１から７のいずれかに記載の釣り竿支持具。
【発明の詳細な説明】
【技術分野】
【０００１】
本発明は、主としても釣用の餌を収容した容器に取り付けたり、釣り竿を保持するための釣り竿支持具に関するものである。
【背景技術】
【０００２】
従来より、釣り竿支持具を固定する際、打込脚の上端に釣り竿保持部を設けた釣り竿支持具が用いられ、この釣り竿支持具を、釣り場に打ち込み固定して、その上端の釣り竿保持部に、釣り竿を保持させる魚釣り方法が普及している。
【０００３】
また、岩場やコンクリート堤防においては、特願平８−２７６８０７、実願平１１―８９６３などで公知のような、釣り竿支持具に、任意のボックス体や重り袋などを吊るして利用したり、或いは、特願平５−３４０４６４、実願２０００―９０９９などで公知のような、任意のボックス体を釣り竿支持具に取り付けたり、利用したものもある。
【発明の開示】
【発明が解決しようとする課題】
【０００４】
しかし、従来の釣り竿支持具では、次のような欠点があった。
（イ）            ハンマー等の打ち込み用具で釣り場に打ち込み固定する釣り竿支持具は、使用前の準備作業が面倒にして煩わしい。岸壁・波止場等の場合は打ち込みができないので、使用不能になる不具合がある。釣り場移動の時、その釣り竿支持具を引き抜いて再び打ち込みセットする作業を不可欠とされるので、手間取るばかりか重いハンマーの携行や相当の腕力を必要とする。また、時には磯岩などを欠落させたりして岩場を荒らすことにもなる。
（ロ）            一方、任意のボックス体を釣り竿支持具に一体に取り付けたり、利用したり、任意のボックス体や重り袋などを吊るして利用しただけのものは、凹凸の激しい岩場や磯岩においての設置・設定や場所移動は容易でないばかりか、釣り竿保持部を安定した姿勢に設置できる場所の選定は難しく、また、釣り竿支持具を簡便にきちんと拘束することができなければ、全体が傾いたり倒れたり、移動したりするなど、不安定で信頼性に欠ける点がある。
（ハ）            前記において、確実、容易、簡便に設定、持ち運び移動がしづらいばかりか、竿保持部の安定姿勢確保が、面倒にして煩わしく、また、竿保持部の安定姿勢確保が難しくなる状況にもなり、さらには、より良い場所を求める釣り場移動がしづらくなる。
【０００５】
本発明の釣り竿支持具は、このような従来技術を背景になされたもので、凹凸の激しい岩場においても、その凹凸に屈することなく、確実で安定的な釣り竿保持設定をすることができ、これらの作業が確実、容易、簡便に設定、持ち運び移動が安全迅速に行え、かつ運搬・収納が便利な釣り竿支持具を提供するのを課題とする。
【課題を解決するための手段】
【０００６】
前記課題を解決するために、本発明は、釣り竿保持脚の上端に釣り竿保持具を設け、釣り竿保持脚の上方両端には係止された２本の支柱脚を備えた自立する三脚において、釣り竿保持脚の下端から連結されて上方に伸ばされた基柱脚と、基柱脚上端からは下方に折り曲げられた基柱爪とを具備した構造からから構成したことを特徴としている。
【０００７】
前記課題を解決するために、本発明は、釣り竿保持脚の上端に釣り竿保持具を設け、釣り竿保持脚と２本の支柱脚とで三脚構造となることを特徴としている。
【０００８】
前記課題を解決するために、本発明は、２本の支柱脚は開閉可能であることを特徴としている。
【０００９】
前記課題を解決するために、本発明は、２本の支柱脚は長さ調節可能であることを特徴としている。
【００１０】
前記課題を解決するために、本発明は、前記釣り竿保持脚の下端から連結されて上方に伸ばされた基柱脚と基柱爪は、任意のボックス体に嵌め込んで装着セットする形状を有したことを特徴としている。
【００１１】
前記課題を解決するために、本発明は、釣り竿保持脚の下端から連結されて上方に伸ばされた基柱脚と基柱爪は、任意のボックス体などを利用した底板台盤部の代用として、また、任意のボックス体や凹凸の激しい岩場などの壁の側面を利用して添着セットする形状を有したことを特徴としている。
【００１２】
前記課題を解決するために、本発明は、釣り竿保持脚は、基柱脚と基柱爪を使用して任意のボックス体に嵌め込んで装着セットすると、一脚構造となることを特徴としている。
【００１３】
前記課題を解決するために、本発明は、釣り竿保持脚と基柱脚とは開閉可動に連結され、連結間の連結部材にはコイルバネなどの任意の圧接部材を設置し、前記脚間での閉状態と開状態との両状態における圧接保持手段を設けたことを特徴としている。
【発明の効果】
【００１４】
本発明の釣り竿支持具を使用するには、まず基柱脚から下方に折り曲げられた基柱爪を、釣り場に置いた「餌入れ容器」等の任意のボックス体に嵌め込んで装着セットして立設、釣り竿保持脚を外側に任意の角度で開可動させ、釣り竿保持脚の上方両端に係止された確実な位置決めを行うための伸縮調節可能な２本の支柱脚のそれぞれを両外側に開可動させる。つぎに、釣り竿保持脚の上端に設けられた釣り竿保持具を、回動させてセットする。釣り竿保持具に釣り竿を保持させる角度を、所望の角度になるように、釣り竿保持脚と２本の支柱脚の開脚角度を調節し、支柱脚がそれぞれに接地するよう長さ調整を設定する。
【００１５】
本発明は、このような容易な操作により、磯岩の傾斜にでも左右されることなく、岩場においてでも極めて簡単に、釣り竿保持を任意の安定した角度に設定できるばかりか、設定・解除の動作も安全かつ簡便であり、心身ともに余裕を持って釣りが楽しめる。
【発明を実施するための最良の形態】
【００１６】
図１から図７は、本発明の実施形態を示す図である。実施形態の釣り竿支持具は、図１に示すように、２本の金属棒を配した長方形の形状となる釣り竿保持脚１と、上端の釣り竿保持具５ａ、５ｂと、釣り竿保持脚１の上方両端に係止された２本の支柱脚２と、釣り竿保持脚１の下端から開閉可動に連結された基柱脚３、及び、基柱爪４、とによって主要部が構成される。基柱脚３及び、基柱爪４も、それぞれ２本の金属棒を配した長方形の形状である。
【００１７】
釣り竿保持脚1の上端に設けられた釣り竿保持具５ｂは、図1に示すように、釣り竿保持脚１の上端が逆U字形状に折り曲げられて傾斜されている。釣り竿保持具５ａは、一本の金属棒を等分に折り曲げ、上端湾曲部は下部にＶ字形状、下端の２本はそれぞれ８ｍｍの長さで内側へくの字形状に折り曲げられている。
【００１８】
釣り竿保持の手段は、釣り竿保持脚１に貫通固定された円柱係片６に設けられた係止穴８に、釣り竿保持具５ａのくの字形状に折り曲げられた両下端がそれぞれに挿入され、釣り保持具５ａを釣り保持具５ｂの対面へ回動させた状態においては、円柱係片６に突設された係止ピン７で保持される。
【００１９】
前記のように設定した状態では、図２から図５に示すように、釣り保持具５ａ、５ｂの２箇所間で、竿２１は保持される。なお、釣り保持具５ｂは、図１で示した矢印Ａに示す方向に回転させ、釣り竿保持脚１に沿って下向きに折り畳むことができる。
【００２０】
釣り竿保持脚１の下端と基柱脚３の下部には、それぞれ板材で形成された通孔が設けられた連結金具１６、１８が突設され、２脚間の連結は、連結金具１８に連結金具１６を内側から重ね、ネジ連結棒１７に貫通されるコイルバネ２０との連結により構成されており、ナット１９で連結金具１８のそれぞれの外側から支持されている。基柱脚３から釣り竿保持脚１が外側に開かれる場合の圧接保持調節は、コイルバネ２０に貫通されたネジ連結棒１７に対してのナット１９の締め加減で、若干の調節がされる。コイルバネ２０は、２箇所の連結間の開閉可動における圧接保持を一定に保つためと、自在開閉力を安定させるための設置である。また、基柱脚３と連結されて開閉する釣り竿保持脚１は、開閉角度により、釣り竿の仰角を無段階に粗調整可能かつ連続的に微調整可能にされる。なお、釣り竿保持脚１は、図１で示した矢印Ｃに示す方向に作動させ、基柱脚３に沿って折り畳むことができる。
【００２１】
基柱爪４は、基柱脚３と一体して構成されており、基柱爪４上端から「餌入れ容器」などの任意のボックス体２２に嵌め込んで装着セットができるように、下方に折り曲げられた構造となっている。また、基柱脚３と基柱爪４は、任意のボックス体などを利用した底板台盤部の代用として、あるいは、任意のボックス体や凹凸の激しい岩場などの壁の側面に添着セットできるように、それぞれ２本の金属棒を配した長方形の形状となっている。
【００２２】
釣り竿保持脚１の上方両端に係止された係止板９は、釣り竿保持脚１に対して、左側斜め後方と右側斜め後方に折り曲げられ、それぞれに２本の支柱脚２を取り付けるための通孔が設けられている。支柱脚２の両脚部は、係止部材１１と係止板９において、係止ビス１０を介して連結され、回動自在に支持されている。これら一対の支柱脚２は、収納時では、図１で示した矢印Ｂの方向に作動させ、図６図７に示した状態の釣り竿保持脚１と重なるようにして収納状態となる。支柱脚２における内管１２は、下端部に石突１５を有する外管１４と伸縮自在に連結され、公知のスライド機構によって内管１２を覆うように縮められ、収納時では、図６図７に示すように、脚部全体が短縮される。この場合、図１に示す脚部の伸長状態と、図６図７に示す脚部の短縮状態は、内管１２と外管１４との間に設けられている脚部伸縮ダイヤル１３を回動操作することによって、切換え保持される。
【実施例】
【００２３】
以上の前記の構成によれば、図２に示すように、「餌入れ容器」等の任意のボックス体２２に基柱脚３と基柱爪４を嵌め込んで装着セットし、釣り竿保持脚１を外側の任意の角度に開可動させ、２本の支柱脚のそれぞれを両外側に開可動させ伸縮調節した状態で竿を保持させた際、強風が吹いたり、脚部に他物が接触しても、コイルバネ２０の圧接力と「餌入れ容器」等の任意のボックス体２２とによって、釣り竿保持脚１との間の開状態が維持され保持されているため、接地している三脚全体が不用意に動くことが防止され、三点だけの支持と比べてもより安定した状態で竿が保持できる。
【００２４】
また、図３に示すように、基柱脚３と基柱爪４を「餌入れ容器」等の任意のボックス体２２を利用した底板台盤部の代用として設置すれば、任意のボックス体２２が安定保持基礎体として機能し、三点だけの支持と比べてもより安定した状態で竿が保持できる。
【００２５】
また、図４に示すように、基柱爪４を任意のボックス体２２の側面や凹凸の激しい岩場などの壁の側面を利用して添着セットすれば、三点だけの支持と比べてもより安定した状態で竿が保持できる。
【００２６】
また、凹凸の激しくない場所では、図５に示すように設置すれば、２本の支柱脚２は折り畳まれた状態でも、基柱脚３だけの一脚構造の支持だけで、釣り竿の安定保持ができる。
【００２７】
前記図５の実施例では、釣り竿保持脚１に連結された基柱脚３基柱爪４との相互間作用で、「餌入れ容器」等の任意のボックス体２２が安定保持基礎体として機能し、基柱脚３と竿保持脚１の下端との２箇所の連結間においては、基柱脚３と釣り竿保持脚１を、開状態と閉状態との両状態に圧接保持するコイルバネ２０を設けたことで、使用時や持ち運び時において、釣り竿保持脚１が閉じたり開いたりすることを確実に防止でき、安定した状態で竿を保持できる。さらに、前記両脚間での閉状態と開状態の切り替えも、単に基柱脚３を掴んで釣り竿保持脚１を開閉移動させるだけであるため、脚部開閉の際の操作性が良くなり、安定性も確実に確保され、より簡便な設定で使用することができる釣り竿支持具となる。
【００２８】
図２図３は、本発明の釣り竿支持具を折り畳んだ状態である。
【産業上の利用可能性】
【００２９】
以上のように、この発明の釣り竿支持具は、釣り竿保持脚の上端に釣り竿保持具を設け、釣り竿保持脚の上方両端には開閉自在かつ長さ調節可能な２本の支柱脚とを備えた三脚において、釣り竿保持脚の下端から開閉可動に連結されて上方に伸ばされた基柱脚と、基柱脚上端からは下方に折り曲げられた基柱爪とを有し、任意のボックス体の側面や下部、凹凸の激しい岩場などの壁の側面に、基柱爪、基柱脚を装着・添着セットする形状とすることで、凹凸の激しい場所であっても、釣り竿保持を確実に安定させることができる。
【００３０】
また、この発明の釣り竿支持具は、釣り竿保持脚と２本の支柱脚とを備えた三脚構造であるが、任意のボックス体などの安定保持基礎体を利用して基柱脚、基柱爪、を拘束させた場合、コイルバネの圧接保持力によって、１本の基柱脚の支持だけでも、釣り竿保持の安定性が保たれる。
【００３１】
本発明は、任意のボックス体に嵌め込んで装着セットして使用する場合は、場所移動が極めて容易であり、設定は容易な操作により、磯岩の傾斜にでも左右されることなく、岩場においてでも極めて簡単に釣り竿保持を任意の角度に設定できるばかりか、設定・解除の動作も安全かつ簡便であり、心身ともに余裕を持って釣りが楽しめる。さらに、移動、撤去も含めて運搬時や不使用時の形状が、コンパクトに折り畳みできるため、運搬・収納が便利にして、釣り愛好者の便宜向上を図る効果があり、産業上の利用可能性がある。
【図面の簡単な説明】
【００３２】
【図１】支持具の斜面図。
【図２】支持具に「餌入れ容器」を装着、釣り竿をセットした状態の斜面図。
【図３】支持具に「餌入れ容器」を添着、釣り竿をセットした状態の斜面図。
【図４】支持具を凹凸の岩場を利用して添着、釣り竿をセットした状態の斜面図。
【図５】支持具に「餌入れ容器」を装着、釣り竿をセットした状態の側面図。
【図６】支持具を折り畳んだ状態の側面図。
【図７】支持具を折り畳んだ状態の正面図。
【符号の説明】
【００３３】
（１）  釣り竿保持脚
（２）  支持脚
（３）  基柱脚
（４）  基柱爪
（５ａ）釣り竿保持具
（５ｂ）釣り竿保持具
（６）  円柱係片
（７）  係止ピン
（８）  係止穴
（９）  係止板
（１０）係止ビス
（１１）係止部材
（１２）内管
（１３）脚部伸縮ダイヤル
（１４）外管
（１５）石突
（１６）連結金具
（１７）ネジ連結棒
（１８）連結金具
（１９）ナット
（２０）コイルバネ
（２１）竿
（２２）餌入れ容器
【図１】
2007151421.tif 000003
【図２】
2007151421.tif 000004
【図３】
2007151421.tif 000005
【図４】
2007151421.tif 000006
【図５】
2007151421.tif 000007
【図６】
2007151421.tif 000008
【図７】
2007151421.tif 000009